(57)【特許請求の範囲】
【請求項１】
導光板と、
前記導光板の一端面に沿って配置された発光部と、
該発光部の両端に配置されて発光部を保持する一対のホルダと、
前記導光板の他の端面に近接して対向する端面反射部と、
前記導光板の背面に近接して対向する背面反射部と、
を備え、
前記端面反射部は、前記ホルダに当接する位置まで延伸して形成された当接部を備え、
前記端面反射部と前記背面反射部とが、所定形状に一体形成されていることを特徴とする面光源ユニット。
【請求項２】
導光板と、
前記導光板の一端面に沿って配置された発光部と、
前記発光部の両端に配置されて発光部を保持する一対のホルダと、
前記導光板の他の端面に近接して対向する端面反射部と、
前記導光板の背面に近接して対向する背面反射部と、
前記一端面とともに前記発光部の周囲をほぼ包み前記発光部からの光を前記一端面に向けて反射するリフレクタと、
を備え、
前記端面反射部は、前記ホルダに当接する位置まで延伸して形成された当接部を備え、
前記リフレクタと前記背面反射部と前記端面反射部とが、所定形状に一体形成されていることを特徴とする面光源ユニット。
【請求項３】
請求項２において、
前記リフレクタは、前記導光板の前面と重なる重なり部を有することを特徴とする面光源ユニット。
【請求項４】
請求項３において、
前記リフレクタは、前記重なり部の少なくとも一部によって前記導光板を弾性をもって保持することを特徴とする面光源ユニット。
【請求項５】
請求項２において、
前記リフレクタは、前記導光板の前面と重ならないことを特徴とする面光源ユニット。
【請求項６】
請求項２ないし請求項５のいずれかにおいて、
前記発光部の両端に配置されて前記発光部を保持する一対のホルダをさらに備え、
前記リフレクタは、前記発光部の両端に配置された前記ホルダに当接して前記発光部を弾性をもって挟み込み固定する一対の板状部を備えてなることを特徴とする面光源ユニット。
【請求項７】
請求項２ないし請求項６のいずれかにおいて、
前記発光部に電力を供給する電源ケーブルをさらに備え、
前記リフレクタは、前記発光部の両端に配置された前記電源ケーブルを前記リフレクタの外部へ引き回すための切欠き部を備えてなることを特徴とする面光源ユニット。
【請求項８】
請求項４ないし請求項７のいずれかにおいて、
前記導光板の前面側に配置された固定枠を更に備え、
前記導光板は、前記端面反射部および前記リフレクタとによって位置決めされた状態で、前記背面反射部と前記固定枠との間に挾持されることを特徴とする面光源ユニット。
【請求項９】
請求項１ないし請求項８のいずれかにおいて、
前記背面反射部は、金属板からなることを特徴とする面光源ユニット。
【請求項１０】
請求項９において、
前記背面反射部は、前記金属板の少なくとも前記導光板に対向する面側の表面に積層された高反射材を備えることを特徴とする面光源ユニット。
【請求項１１】
請求項１ないし請求項８のいずれかにおいて、
前記背面反射部は、樹脂板と、前記樹脂板の少なくとも前記導光板に対向する面側の表面に積層された高反射材とを備えることを特徴とする面光源ユニット。
【請求項１２】
請求項１ないし請求項８のいずれかにおいて、
前記背面反射部は、高反射性の樹脂板から成ることを特徴とする面光源ユニット。
【請求項１３】
請求項１ないし請求項１２のいずれかに記載の面光源ユニットと、
前記面光源ユニットの発光面側に配置された表示パネルと、
を備えることを特徴とする表示装置。
【請求項１４】
請求項１３に記載の表示装置を表示手段として有することを特徴とする電子機器。
【発明の詳細な説明】
【０００１】
【発明の属する技術分野】
本発明は、面光源ユニットならびにそれを備える表示装置および電子機器に関する。
【０００２】
【背景技術および発明が解決しようとする課題】
液晶表示装置などに用いられる面光源ユニットとして、導光板の一つの端面に沿って光源を配置し、導光板の残りの端面および導光板の背面を反射シートで覆って形成されたものがある。また、面光源ユニットにおいては、光源からの光の殆どを導光板の前述の端面に向かわせるために、光源を前述の端面に面する側を除いて覆い、その端面方向に光を反射させるリフレクタが、導光板の前面および背面の一部と重ねられ、両面テープなどによって導光板に接着されて固定されているものがある。
【０００３】
しかしながら、このように反射シートを導光板に両面テープなどを用いて接着すると、両面テープなどが導光板と反射シートとの間に介在することになり、両面テープなどによって面内輝度や光の利用効率が低下してしまう。さらに、両面テープなどを用いて反射シートを貼付する作業は、反射シートの位置決めなどにおいて慎重を要する作業であり、必要となる工数も大きい。
【０００４】
また、リフレクタが導光板と一部重なる状態とし、重なる部分同士を両面テープ等によって接着してリフレクタを導光板に固定する構造においては、リフレクタによって導光板前面の一部が覆われることになり、その領域は面光源としては利用できないこととなり、その領域に対応する分だけ導光板を大型化する必要が生じる。そのため、このような面光源ユニットにおいては、外形に対する発光面面積の割合が低下してしまう。また、そのような接着に用いられた両面テープなどによって面内輝度や光の利用効率が低下してしまう。
【０００５】
また、光源として冷陰極管を用いた場合、冷陰極管の面光源ユニットへの固定は、両面テープなどを用いて冷陰極管の端部とリフレクターの内壁、または冷陰極管の端部と導光板とを接合することによって行なっている。このような場合も、そのための作業工数は大きなものとなる。
【０００６】
本発明は、上記のような点に鑑みてなされたものであって、その目的は、光の利用効率が高く、外形に対する発光面面積の比率が高い、面光源ユニットならびにそれを備える表示装置および電子機器を提供することにある。
【０００７】
【課題を解決するための手段】
本発明に係る面光源ユニットは、導光板と、前記導光板の一端面に沿って配置された発光部と、該発光部の両端に配置されて発光部を保持する一対のホルダと、前記導光板の他の端面に近接して対向する端面反射部と、前記導光板の背面に近接して対向する背面反射部と、を備え、前記端面反射部は、前記ホルダに当接する位置まで延伸して形成された当接部を備え、前記端面反射部と前記背面反射部とが、所定形状に一体形成されていることを特徴とする。
【０００８】
本発明にあっては、端面反射部と背面反射部とが所定の形状に一体形成されているため、所定位置において背面反射部または端面反射部を導光板に固定することによって、背面反射部および端面反射部が所定位置において導光板に固定されることになる。したがって、背面反射部および端面反射部の少なくとも一方は、両面テープなどを用いて導光板に接着する必要がなくなり、両面テープなどが介在することによる面内輝度や光の利用効率の低下を抑制することができる。また、両面テープなどを用いて接着するための工数を削減することができる。
【０００９】
本発明に係る面光源ユニットは、導光板と、前記導光板の一端面に沿って配置された発光部と、前記発光部の両端に配置されて発光部を保持する一対のホルダと、前記導光板の他の端面に近接して対向する端面反射部と、前記導光板の背面に近接して対向する背面反射部と、前記一端面とともに前記発光部の周囲をほぼ包み前記発光部からの光を前記一端面に向けて反射するリフレクタと、を備え、前記端面反射部は、前記ホルダに当接する位置まで延伸して形成された当接部を備え、前記リフレクタと前記背面反射部と前記端面反射部とが、所定形状に一体形成されていることを特徴とする。
【００１０】
本発明にあっては、リフレクタと背面反射部とが所定の形状に一体形成されているため、所定位置においてリフレクタまたは背面反射部を導光板に固定することによって、リフレクタおよび背面反射部が所定位置において導光板に固定されることになる。したがって、リフレクタまたは背面反射部の少なくとも一方は、両面テープなどを用いて導光板に接着する必要がなくなり、両面テープなどが介在することによる面内輝度や光の利用効率の低下を抑制することができる。また、両面テープなどを用いて接着するための工数を削減することができる。
【００１３】
（４）  本発明に係る面光源ユニットは、
前記リフレクタは、前記導光板の前面と重なる重なり部を有することを特徴とする。
【００１４】
本発明にあっては、リフレクタの重なり部によって発光部近傍の導光板の前面が覆われるので、発光部からの発光が直接、導光板の前面側に漏れることがない。したがって、輝度ムラの少ない面光源ユニットを形成することができる。
【００１５】
（５）  本発明に係る面光源ユニットは、
前記リフレクタは、前記重なり部の少なくとも一部によって前記導光板を弾性をもって保持することを特徴とする。
【００１６】
本発明にあっては、リフレクタの重なり部で導光板を保持することによって、リフレクタ、背面反射部、および端面反射部が所定位置において導光板に固定されることになる。したがって、リフレクタ、背面反射部、および端面反射部は、両面テープなどを用いて導光板に接着する必要がなくなり、両面テープなどが介在することによる面内輝度や光の利用効率の低下を排除することができる。また、両面テープなどを用いて接着するための工数を不要とすることができる。
【００１７】
（６）  本発明に係る面光源ユニットは、
前記リフレクタは、前記導光板の前面と重ならないことを特徴とする。
【００１８】
本発明にあっては、リフレクタが導光板の前面とは重ならないため、リフレクタによって導光板前面の一部が覆われることがなく、そのような重なりによって面光源として利用できる面積が減少することがない。したがって、外形に対する発光面面積の割合が大きい面光源ユニットを形成することができる。
【００１９】
（７）  本発明に係る面光源ユニットは、
前記発光部の両端に配置されて前記発光部を保持する一対のホルダをさらに備え、  前記リフレクタは、前記発光部の両端に配置されたホルダに当接して前記発光部を弾性をもって挟み込み固定する一対の板状部を備えてなることを特徴とする。
【００２０】
本発明にあっては、リフレクタの板状部で発光部としての蛍光管のホルダを固定することによって、発光部が所定位置において導光板に固定されることになる。したがって、発光部をより確実に固定でき、発光部の位置ずれが生じない面光源ユニットを形成することができる。
【００２３】
（９）  本発明に係る面光源ユニットは、  前記発光部に電力を供給する電源ケーブルをさらに備え、
前記リフレクタは、前記発光部の両端に配置された前記電源ケーブルを前記リフレクタの外部へ引き回すための切欠き部を備えてなることを特徴とする。
【００２４】
本発明にあっては、蛍光管の電源ケーブルをリフレクタの切欠き部から外部へ引き回すことによって、面光源ユニットの外形を蛍光管の長手方向において小さくすることができる。したがって、コンパクトな面光源ユニットを形成することができる。
【００２５】
（１０）  本発明に係る面光源ユニットは、
前記導光板の前面側に配置された固定枠を更に備え、
前記導光板は、前記端面反射部および前記リフレクタとによって位置決めされた状態で、前記背面反射部と前記固定枠との間に挾持されることを特徴とする。
【００２６】
本発明にあっては、リフレクタ、背面反射部、および端面反射部が所定の形状に一体形成され、しかも、導光板が、端面反射部およびリフレクタによって位置決めされて背面反射部と固定枠との間に挾持されているため、リフレクタ、背面反射部、および端面反射部の少なくともいずれかと、導光板とを両面テープなどを用いて接着することなく、それらと導光板とを互いに固定することができる。したがって、両面テープなどの介在による面内輝度や光の利用効率の低下が起きない。また、両面テープなどを用いて接着するための工数を削減することができる。さらに、導光板、リフレクタ、背面反射部、端面反射部、および固定枠の相互間の固定が両面テープなどの接着によって行われていないため、不具合が発生した場合のリワークが容易となる。
【００２７】
（１１）  本発明に係る面光源ユニットは、
前記背面反射部は金属板からなることを特徴とする。
【００２８】
本発明にあっては、背面反射部が金属板を用いて形成されているため、薄型かつ強固で、蛍光管などから伝わる熱の放熱性が高い。
【００２９】
（１２）  本発明に係る面光源ユニットは、
前記背面反射部は、前記金属板の少なくとも前記導光板に対向する面側の表面に積層された高反射材を備えることを特徴とする。
【００３０】
本発明にあっては、背面反射部の導光板に対向する面に高反射材が積層されているため、面内輝度や光の利用効率を向上できる。
【００３１】
（１３）  本発明に係る面光源ユニットは、
前記背面反射部は、樹脂板と、前記樹脂板の少なくとも前記導光板に対向する面側の表面に積層された高反射材とを備えることを特徴とする。
【００３２】
本発明にあっては、背面反射部が樹脂板を用いて形成されているため、軽量な背面反射部とすることができる。
【００３３】
（１４）  本発明に係る面光源ユニットは、
前記背面反射部は、高反射性の樹脂板からなることを特徴とする。
【００３４】
本発明にあっては、背面反射部が樹脂板を用いて形成されているため、軽量な背面反射部とすることができる。
【００３５】
（１５）  本発明に係る表示装置は、
前記いずれかの面光源ユニットと、
前記面光源ユニットの発光面側に配置された表示パネルと、
を備えることを特徴とする。
【００３６】
本発明にあっては、光の利用効率が高い面光源ユニットが用いられた表示装置であるため、低消費電力であっても明るい表示装置が得られる。
【００３７】
（１６）  本発明に係る電子機器は、
前記表示装置を表示手段として有することを特徴とする。
【００３８】
本発明によれば、表示装置について前述した作用効果を有する電子機器が得られる。
【００３９】
【発明の実施の形態】
以下、本発明の好適な実施形態について、図面を参照しながら、さらに具体的に説明する。
【００４０】
１．  表示装置
図１は、本実施形態の表示装置としての液晶表示装置１０を模式的に示す分解斜視図である。この図に示すように、本実施形態の液晶表示装置１０は、表示パネルとしての液晶パネル１４と、液晶パネル１４の前面に配置される保護枠１２と、液晶パネル１４の背面に配置される固定枠３０と、固定枠３０の背面に配置される面光源ユニットとしてのバックライト４０と、バックライト４０の背面に配置されるシールドケース５８とを備えて構成される。
【００４１】
保護枠１２は、液晶パネル１４の表示領域に対応した大きさの表示窓１３を備え、液晶パネル１４を物理的に保護している。
【００４２】
液晶パネル１４は、対向する一対の基板１６，１６の間に液晶が封入され、基板１６の外面側に偏光板１８が貼付されて形成されている。また、液晶パネル１４は、液晶注入後に液晶を密封するための封止部２２を一つの端面に備えている。封止部２２は、信頼性の高い封止を実現するために端面２０から盛り上がった形状の突出部として形成されている。そして、液晶パネル１４には、その端子部に配線基板２４、例えばＦＰＣ（可撓性配線基板）が接続されている。
【００４３】
面光源ユニットとしてのバックライト４０は、その分解斜視図である図２にも示すように、発光部としての蛍光管４６と、蛍光管４６からの光を液晶パネル１４の全表示領域に向けて導くための導光板４４と、導光板４４の前面側に配置され光利用効率を向上させるレンズシート４２と、レンズシート４２の前面側に配置される固定枠３０と、導光板４４の背面に近接して対向配置され導光板４４から背面側に漏れた光を前面側に反射させる背面反射部５４とを備えて形成されている。蛍光管４６は、その両端部において例えばゴムやシリコーンなどの樹脂で形成されたホルダ４７によって保持され、電源ケーブル４８を介して所定電圧の電源（図示せず）が接続される。
【００４４】
さらに、バックライト４０は、蛍光管４６からの光を導光板４４の端面４５ａに向けて反射するリフレクタ５０と、導光板４４において蛍光管４６が近接して配置される端面４５ａ以外の端面４５ｂに近接して対向する端面反射部５２とを備えている。本実施形態においては、前述した背面反射部５４と、リフレクタ５０と、端面反射部５２とが、図３に斜視図として示すように、所定形状に一体として形成されている。そして、図４に展開図として示すように、背面反射部５４、リフレクタ５０、および端面反射部５２は、所定形状の平板材料を図４に示した破線位置において折り曲げることにより形成できる。
【００４５】
なお、リフレクタ５０は、導光板４４の端面４５ａとともに蛍光管４６の周囲をほぼ包むように形成されている。しかも、リフレクタ５０は、導光板４４の端面４５ａに当接し、導光板４４の前面４５ｃすなわち光が放射される面とは重ならない形状となっている。
【００４６】
このように、リフレクタ５０が導光板４４の前面とは重ならないため、リフレクタ５０によって導光板４４前面の一部が覆われることがなく、そのような重なりによって面光源として利用できる面積が減少することがない。したがって、外形に対する発光面面積の割合が大きいバックライト４０すなわち面光源ユニットを形成することができる。
【００４７】
電源ケーブル４８は、図２に示すように、ホルダ４７の下面側（シールドケース５８側）からシールドケース５８（図１参照）に向かって配置される。また、リフレクタ５０の両端部で電源ケーブル４８に対応する部分には、電源ケーブル配線用の切欠き部５６を設けてあり、この切欠き部５６を介して電源ケーブル４８をリフレクタ５０の外側へ引き回すように構成してある。したがって、電源ケーブル４８を蛍光管４６の長手方向に突出させて引き回す必要がないので、面光源ユニットの外形を蛍光管の長手方向において小さくすることができ、コンパクトな面光源ユニット４０を形成することができる。
【００４８】
背面反射部５４、リフレクタ５０、および端面反射部５２は、金属板と、金属板の導光板４４に面する表面に積層された高反射材とを含んで形成されており、導光板４４または蛍光管４６から漏れ出る光を反射して導光板４４に戻すことができる。なお、金属板としては、例えば、スズメッキ鋼板（通称ブリキ）、りん青銅などの銅系材料またはアルミ系材料等が用いられ、反射層（高反射材）としては、例えば、銀のスパッタ層や蒸着層、高反射インク層、または高反射シートが用いられる。このように、背面反射部５４、リフレクタ５０、および端面反射部５２は、金属板を用いて形成されているため、薄型かつ強固で、蛍光管などから伝わる熱の放熱性が高い。とくに、金属板は樹脂等に比べて遮光性が高いので、導光板４４から漏れ出る光を効率よく反射して導光板４４に戻すことができる。
【００４９】
固定枠３０は、例えば、スズメッキ鋼板（通称ブリキ）、りん青銅などの銅系材料またはアルミ系材料などの金属で形成され、図１に示すように、バックライト４０と液晶パネル１４との間、すなわちバックライト４０の前面側で液晶パネル１４の背面側に配置されている。このように、固定枠３０が液晶パネル１４とバックライト４０との間に配置されているため、液晶パネル１４と、レンズシート４２および導光板４４との間に所定の間隙が形成され、干渉縞やモワレの発生が防止される。
【００５０】
導光板４４およびレンズシート４２は、背面反射部５４上に配置され、端面反射部５２とリフレクタ５０の端部とによって背面反射部５４とほぼ平行な平面内の所定位置に位置決めされた状態で、背面反射部５４と固定枠３０との間に挾持される。
【００５１】
また、両端部においてホルダ４７によって保持された蛍光管４６、および、導光板４４は、一体形成された背面反射部５４、リフレクタ５０、および端面反射部５２によってその内部に保持されて、図５に斜視図として示す位置関係となり、蛍光管４６は導光板４４の端面に沿って配置される。したがって、導光板４４および蛍光管４６が、一体形成された背面反射部５４、リフレクタ５０、および端面反射部５２によって保持されると、蛍光管４６は、導光板４４に面する側を除いてリフレクタ５０によって包み込まれた状態となる。
【００５２】
シールドケース５８は、蛍光管４６に供給される所定電圧を発生するための電源であるインバータ（図示せず）や、バックライト４０を収納する。
【００５３】
上述したように、本実施形態のバックライト４０は、リフレクタ５０と背面反射部５４と端面反射部５２とが所定の形状に一体形成され、しかも、導光板４４が、端面反射部５２およびリフレクタ５０によって位置決めされて、背面反射部５４と固定枠３０との間に挾持されている。したがって、リフレクタ５０、背面反射部５４、および端面反射部５２の少なくとも一つと、導光板４４とを両面テープなどを用いて接着することなく、それらと導光板４４とを互いに固定することができる。したがって、両面テープなどの介在による面内輝度や光の利用効率の低下が起きない。また、両面テープなどを用いて接着するための工数を削減することができる。さらに、導光板４４、リフレクタ５０、背面反射部５４、端面反射部５２、および固定枠３０の相互間の固定が、両面テープなどの接着によって行われてないため、不具合が発生した場合のリワークが容易となる。
【００５４】
２．  表示装置を備えた電子機器
図６（Ａ）、（Ｂ）、および（Ｃ）は、本実施形態の表示装置である液晶表示装置１０を表示部として用いた電子機器の例を示す外観図である。図６（Ａ）は、携帯電話機８８であり、その前面上方に液晶表示装置１０を備えている。図６（Ｂ）は、腕時計９２であり、本体の前面中央に液晶表示装置１０を用いた表示部が設けられている。図６（Ｃ）は、携帯情報機器９６であり、液晶表示装置１０からなる表示部と入力部９８とを備えている。これらの電子機器は、液晶表示装置１０の他に、図示しないが、表示情報出力源、表示情報処理回路、クロック発生回路などの様々な回路や、それらの回路に電力を供給する電源回路などからなる表示信号生成部を含んで構成される。表示部には、例えば携帯情報機器の場合にあっては入力部９８から入力された情報等に基づき表示信号生成部によって生成された表示信号が供給されることによって表示画像が形成される。
【００５５】
なお、本実施形態の液晶表示装置１０が組み込まれる電子機器としては、携帯電話機、腕時計、および携帯情報機器に限らず、ノート型パソコン、電子手帳、ページャ、電卓、ＰＯＳ端末、ＩＣカード、ミニディスクプレーヤなど様々な電子機器が考えられる。
【００５６】
３．  変形例
３．１  前記においては、背面反射部５４、リフレクタ５０、および端面反射部５２が、金属板と、金属板の導光板４４に面する表面に積層された高反射材とを含んで形成されている例を示した。しかしながら、背面反射部５４、リフレクタ５０、および端面反射部５２は、樹脂板と、樹脂板の導光板４４に面する表面に積層された高反射材とを備えて形成されていてもよい。また、樹脂材自体が高反射性を有する樹脂材で樹脂板が形成されていてもよい。これによって、背面反射部５４、リフレクタ５０、および端面反射部５２が軽量となり、軽いバックライト４０すなわち面光源ユニットを形成することができる。
【００５７】
３．２  前記においては、背面反射部５４、リフレクタ５０、および端面反射部５２が一体形成された例を示した。しかしながら、背面反射部５４とリフレクタ５０のみが一体形成されていてもよい。また、背面反射部５４と端面反射部５２のみが一体形成されていてもよい。その場合、背面反射部５４、リフレクタ５０、および端面反射部５２のうち、一体形成されない部分は一体形成される他の部分または導光板４４に、両面テープなどを用いて接着すればよい。
【００５８】
３．３  また、上記においては、発光部として、例えば冷陰極管等の蛍光管４６を用いた例を示したが、発光部としては蛍光管４６に限らず、ＬＥＤ等であってもよい。この場合、複数のＬＥＤを用いることもできる。
【００５９】
３．４  上記においては、リフレクタ５０を導光板４４の前面４５ｃとは重ならないように形成した例を示した。しかしながら、リフレクタ５０に導光板４４の前面４５ｃと重なる重なり部を有して形成してもよい。すなわち、リフレクタ５０は、導光板４４の端面４５ａには当接せずに、導光板４４の端面４５ａ近傍において導光板４４の前面４５ｃすなわち光が放射される面と重なる形状としてもよい。その場合、リフレクタ５０の重なり部によって発光部近傍の導光板４４の前面４５ｃが覆われるので、発光部からの発光が直接、導光板４４の前面４５ｃ側に漏れることがない。したがって、輝度ムラの少ない面光源ユニットを形成することができる。
【００６０】
３．５  さらに、上記で説明したリフレクタの重なり部の少なくとも一部によって前記導光板４４を弾性をもって保持するように形成してもよい。すなわち、図３に示すように、リフレクタ５０の導光板４４の厚み方向に対向する面の隙間寸法（図３における符号Ｂ寸法）を、そのＢ寸法に対応する位置における導光板４４の厚みよりも小さく設定することによって、導光板４４を弾性をもって挟み込み固定することができる。この場合、導光板４４をリフレクタ５０に挟み込んむことによるリフレクタ５０の変形力によって弾性力を発生させることができる。リフレクタ５０の重なり部で導光板４４を保持することによって、リフレクタ５０、背面反射部５４、および端面反射部５２が所定位置において導光板４４に固定されることになる。したがって、リフレクタ５０、背面反射部５４、および端面反射部５２は、両面テープなどを用いて導光板４４に接着する必要がなくなり、両面テープなどが介在することによる面内輝度や光の利用効率の低下を排除することができる。また、両面テープなどを用いて接着するための工数を不要とすることができる。
【００６１】
さらに、リフレクタ５０の重なり部と導光板４４の前面４５ｃ間にレンズシート４２を配置することもでき、この場合は、レンズシート４２をも含んで位置決め固定することができる。
【００６２】
３．６  また、発光部の固定構造として、図７に示すように、リフレクタにおいて蛍光管４６の両端部に対応する部分にそれぞれ一対の板状部５０ａ，５０ａを設けて、その板状部５０ａ，５０ａを蛍光管４６の両端部に配置されたホルダ４７に弾性をもって当接させることによって、蛍光管４６をホルダ４７を介して挟み込み固定する構造を用いることもできる。すなわち、一対の板状部５０ａ，５０ａ間の寸法（図７における符号Ａ寸法）を、そのＡ寸法に対応したホルダ４７の寸法（ホルダの厚み）よりも小さく設定することによって、ホルダ４７を弾性をもって挟み込み固定することができる。この場合、ホルダ４７自体が弾性を有していてもよいし、リフレクタ５０の板状部５０ａ，５０ａがホルダ４７に当接することによる板状部５０ａ，５０ａの変形によって弾性力を発生させてもよい。発光部の固定構造を、以上のような構造とすることにより、発光部をより確実に固定でき、発光部の位置ずれが生じない面光源ユニットを形成することができる。
【００６３】
３．７  さらに、端面反射部５２をホルダ４７に当接する位置まで延伸させて形成してもよい。すなわち、図７に示すように端面反射部５２から延伸して蛍光管４６の長手方向の両端に一対の当接部５２ａ，５２ａを形成し、一対の当接部５２ａ，５２ａ間の寸法（図７における符号Ｃ寸法）を、そのＣ寸法に対応したホルダ４７部を含んだ蛍光管４６の長手方向の寸法よりも小さくすることによって、蛍光管４６を弾性をもって挟み込み固定することができる。この場合、ホルダ４７自体が弾性を有していてもよいし、リフレクタ５０の当接部５２ａ，５２ａがホルダ４７に当接することによる当接部５２ａ，５２ａの変形によって弾性力を発生させてもよい。端面反射部を以上のような構成とすることにより、発光部としての蛍光管４６を、その長手方向に確実に固定でき、発光部の位置ずれが生じない面光源ユニットを形成することができる。
【００６４】
なお、図７においては、上記一対の当接部５２ａ，５２ａは、端面反射部５２とほぼ同一平面内に延伸形成されているが、一対の当接部５２ａ，５２ａを対向する内側方向に折り曲げた折り曲げ部として形成することもできる。このように当接部５２ａ，５２ａを折り曲げ部として形成することにより、図７におけるＣ寸法を所望の寸法に設定することができ、それによって、所望の弾性力を設定することができる。
【００６５】
３．８  また、上記においては、表示パネルとして液晶パネル１４を用いた表示装置１０の例を示したが、表示パネルは液晶パネル１４に限らず、面光源からの光の透過を制御して表示を行うタイプの表示パネルであれば他の種類のものであってもよい。
【００６６】
３．９  以上、本発明の実施形態を説明したが、本発明は前述した各実施形態に限定されるものではなく、本発明の要旨の範囲内または特許請求の範囲の均等範囲内でさらに各種の変形実施が可能である。
【図面の簡単な説明】
【図１】実施形態の液晶表示装置を示す模式的な分解斜視図である。
【図２】バックライトを示す分解斜視図である。
【図３】一体形成された、背面反射部、端面反射部、およびリフレクタを示す斜視図である。
【図４】一体形成された、背面反射部、端面反射部、およびリフレクタを示す展開図である。
【図５】バックライトおよび蛍光管の位置関係を示す斜視図である。
【図６】実施形態の液晶表示装置を用いた電子機器を示す外観図であり、（Ａ）は携帯電話機であり、（Ｂ）は腕時計であり、（Ｃ）は携帯情報機器である。
【図７】一体形成された、背面反射部、端面反射部、およびリフレクタの変形例を示す斜視図である。
【符号の説明】
１０  液晶表示装置（表示装置）
１２  保護枠
１４  液晶パネル（表示パネル）
３０  固定枠
４０  バックライト（面光源ユニット）
４２  レンズシート
４４  導光板
４５ａ，４５ｂ  端面
４５ｃ  前面
４６  蛍光管（発光部）
４７  ホルダ
４８  電源ケーブル
５０  リフレクタ
５０ａ  板状部
５２  端面反射部
５２ａ  当接部
５４  背面反射部
５６  切欠き部
８８  携帯電話機（電子機器）
９２  腕時計（電子機器）
９６  携帯情報機器（電子機器）
【図１】
0003695229.tif 000002
【図２】
0003695229.tif 000003
【図３】
0003695229.tif 000004
【図４】
0003695229.tif 000005
【図５】
0003695229.tif 000006
【図６】
0003695229.tif 000007
【図７】
0003695229.tif 000008